(57)【特許請求の範囲】
【請求項１】
それぞれ一面を開放する箱状を成し、互いの開口部を突き合わせて接合されて箱体となり、電子部品を搭載する基板を内包する第１のケースおよび第２のケースとを有する筐体において、
前記第１のケースの開口部から前記第２のケース側に前記基板の面方向と平行な方向において延び、前記第２のケースの壁面に密着して重なり合って前記第２のケースの前記壁面と嵌り合う絶縁板を有し、
前記絶縁板の重合面に係合凸部が形成され、前記係合凸部に対応する位置の前記第２のケースの壁面に前記係合凸部と係合して前記第１のケースと前記第２のケースが離間することを規制する係合穴が形成されており、
前記絶縁板は、該絶縁板の面に沿う方向において、前記第１のケースの開口部から前記絶縁板の前記第２のケース側の縁までの距離と、前記係合穴から前記絶縁板の前記第２のケース側の縁までの距離とが等しい沿面距離となる形状を成している
ことを特徴とする電子機器ユニットの筐体。
【請求項２】
前記基板は、第１面に電子部品を搭載し、
前記絶縁板は、前記第１のケースの開口部の前記基板の第１面に対向するほぼ全縁と前記第１面の裏側の第２面に対向するほぼ全縁とからそれぞれ第２のケース側に延びるように設けられている
ことを特徴とする請求項１に記載の電子機器ユニットの筐体。
【請求項３】
前記絶縁板は、前記第２のケースの開口部に入り込み第２のケースの内壁に重なる
ことを特徴とする請求項１に記載の電子機器ユニットの筐体。
【請求項４】
前記第２のケースの内壁に、前記絶縁板を埋没させる嵌合凹部が形成されている
ことを特徴とする請求項１に記載の電子機器ユニットの筐体。
【請求項５】
前記第２のケースの壁面から前記嵌合凹部と対向して前記第２のケースの開口部方向に延び、前記嵌合凹部との間に前記絶縁板を狭持する案内リブが設けられている
ことを特徴とする請求項４に記載の電子機器ユニットの筐体。
【請求項６】
前記第２のケースの壁面から前記第２のケースの開口部方向に延び、前記絶縁板と重なり合う壁面との間に前記絶縁板を狭持する案内リブが設けられている
ことを特徴とする請求項１に記載の電子機器ユニットの筐体。
【請求項７】
前記案内リブは、前記第２のケースの開口部から突出している
ことを特徴とする請求項６に記載の電子機器ユニットの筐体。
【発明の詳細な説明】
【技術分野】
【０００１】
本発明は、基板を内部に収納する電子機器ユニットの筐体に関するものであり、特に分割された２つのケースの嵌め込み構造による静電気の絶縁性向上に関するものである。
【背景技術】
【０００２】
従来、一般に広く絶縁とシールドを必要とする電気部品に適用するシールド装置に関して、端子部と金属間の距離を十分に取り、放電を防ぐことが知られている。つまり、絶縁耐力を上げるためには、沿面距離が必要であることが知られている（例えば、特許文献１参照）。【０００３】
また、従来、内蔵アンテナが接続された回路アセンブリが、筐体内に収納されてなる携帯用受信機において、静電耐圧性を向上させる目的で、内蔵アンテナの一部を覆う絶縁カバーを、筐体内に配置し、筐体の隙間から、内蔵アンテナまでの沿面距離を長くして、静電耐圧を大きくして静電耐圧性を向上させることが提案されている（例えば、特許文献２参照）。【０００４】
一方、電子部品を搭載する基板を内包する電子機器ユニットの筐体で、箱体が分割されて成る２つのケースを有し、この２つのケースが互いの開口部を突き合わせて接合されて箱体となり、内部に基板を収納する構造の電子機器ユニットの筐体においては、従来、２つのケースの突き合わせ箇所に隙間が生じることで、外来から静電気放電が電子部品に影響を与えるという問題があり、これに対する対策として、筐体の内側に突き合わせ箇所を覆うように絶縁シートを設けるといった方法、あるいは、突き合わせ箇所の直下の基板上に電子部品を設けないようにするといった方法が提案されていた。
【先行技術文献】
【特許文献】
【０００５】
【特許文献１】実開昭５６−３８４９８号公報
【特許文献２】実開平７−７２２７号公報
【発明の概要】
【発明が解決しようとする課題】
【０００６】
しかしながら、上記分割された２つのケースを有する電子機器ユニットの筐体においては、絶縁シートを設ける方法は、絶縁シート取付けの組立工数が増えるといった問題や、部品点数が増えコストが増大するといった問題、さらには、電子部品の高さが制限されるといった問題や、リサイクル分別性が劣るといった問題があった。一方、突き合わせ箇所の直下の基板上に電子部品を設けないようにする方法においては、電子部品配置が制限されてしまい、実装効率が悪化するという問題があった。【０００７】
本発明は、上記に鑑みてなされたものであって、２つのケースの突き合わせ箇所から、静電気放電の侵入経路となりやすい内部基板までの沿面距離を所定の長さに延ばすことができ、静電気絶縁性を向上させることができる電子機器ユニットの筐体を提供することを目的とする。
【課題を解決するための手段】
【０００８】
上述した課題を解決し、目的を達成するために、本発明の電子機器ユニットの筐体は、それぞれ一面を開放する箱状を成し、互いの開口部を突き合わせて接合されて箱体となり、電子部品を搭載する基板を内包する第１のケースおよび第２のケースとを有する筐体において、第１のケースの開口部から第２のケース側に基板の面方向と平行な方向において延び、第２のケースの壁面に密着して重なり合って第２のケースの壁面と嵌り合う絶縁板を有し、絶縁板の重合面に係合凸部が形成され、係合凸部に対応する位置の第２のケースの壁面に係合凸部と係合して第１のケースと第２のケースが離間することを規制する係合穴が形成されており、絶縁板は、該絶縁板の面に沿う方向において、第１のケースの開口部から絶縁板の第２のケース側の縁までの距離と、係合穴から絶縁板の第２のケース側の縁までの距離とが等しい沿面距離となる形状を成していることを特徴とする。
【発明の効果】
【０００９】
本発明の電子機器ユニットの筐体によれば、第１のケースの開口部のほぼ全縁から突き合わせ方向に延び、第２のケースの内壁に密着する絶縁板を有し、この絶縁板は、第１のケースと第２のケースの突き合わせ箇所および係合穴から縁までの距離が所定の沿面距離となるように、突き合わせ箇所および係合穴から所定の幅を有して広がる形状を成すので、２つのケースの突き合わせ箇所から、静電気放電の侵入経路となりやすい内部基板までの沿面距離を所定の絶縁距離とすることができ、静電気絶縁性を向上させることができる。これにより、絶縁シートを設ける必要が無くなり、また、突き合わせ箇所の直下の基板上を電子部品の配置禁止領域にする必要もなくなるという効果を奏する。
【図面の簡単な説明】
【００１０】
【図１】図１は、本発明にかかる電子機器ユニットの筐体の実施の形態の全体の外観を示す斜視図である。
【図２】図２は、前部ケースと後部ケースとを嵌め合わせて基板を収納する様子を示す斜視図である。
【図３】図３は、前部ケースと後部ケースとを嵌め合わせる様子を示す側面図である。
【図４】図４は、電子機器ユニットの筐体の側面図である。
【図５】図５は、前部ケースの縦断面図である。
【図６】図６は、図４のＢ−Ｂ線に沿う矢視断面図である。
【図７】図７は、図４のＣ−Ｃ線に沿う矢視断面図である。
【図８】図８は、図５のＥ−Ｅ線に沿う矢視断面図である。
【図９】図９は、絶縁板の形状を説明するための模式図である。
【発明を実施するための形態】
【００１１】
以下に、本発明にかかる電子機器ユニットの筐体の実施の形態を図面に基づいて詳細に説明する。なお、この実施の形態によりこの発明が限定されるものではない。
【００１２】
実施の形態．
図１は、本発明にかかる電子機器ユニットの筐体の実施の形態の全体の外観を示す斜視図である。図２は、前部ケースと後部ケースとを嵌め合わせて基板を収納する様子を示す斜視図である。図３は、前部ケースと後部ケースとを嵌め合わせる様子を示す側面図である。図４は、電子機器ユニットの筐体の側面図である。図５は、前部ケースの縦断面図である。図６は、図４のＢ−Ｂ線に沿う矢視断面図である。図７は、図４のＣ−Ｃ線に沿う矢視断面図である。図８は、図５のＥ−Ｅ線に沿う矢視断面図である。図９は、絶縁板の形状を説明するための模式図である。
【００１３】
なお、本実施の形態においては、図１および図２に示すように、電子機器ユニットの筐体（以降、単に筐体）５０の高さ方向をＺ方向、筐体５０の奥行き方向をＸ方向、筐体５０の幅方向をＹ方向として説明するが、これに限定されるものではない。図３においては、前部ケース２と後部ケース１のみを示し内包される基板は省略している。図６、図７および図８の断面図は、断面の切り口の形状のみを示している。
【００１４】
筐体５０は、電子部品（図示せず）を搭載する概略板状の基板３を内部に収納している。ここで、基板３は、図２に示すように、ＸＺ平面に沿って広がるように配置されているものとする。基板３は、片側の主面である第１面（部品実装面）に電子部品（図示せず）を実装している。また、装置前面側となるＸマイナス方向側の縁部にコネクタ３ａを有している。
【００１５】
一方、筐体５０は、基板３に沿うように延在する概ね偏平な６面体を成している。すなわち、筐体５０は、Ｘ方向およびＺ方向に細長くＹ方向に厚さ（幅）の小さい概略直方体形状を成している（図１）。そして、基板３は、主面を筐体５０内面の大面積面に対向させるようにして、ほぼ筐体５０の全体にわたって広がっている。すなわち、基板３は、筐体５０内部のほぼ全域にわたって延在している。
【００１６】
筐体５０は、中央部に近い位置にて、基板３に直交する面（ＺＹ平面）で２つに分割されている。すなわち、筐体５０は、後部ケース（第１のケース）１および前部ケース（第２のケース）２の２つのケースに分割されている（図２）。後部ケース１および前部ケース２は、それぞれ一面を開放する偏平な箱状を成し、長方形状に広がる細長の開口部１ａ、２ａを有しており、この互いの開口部１ａ、２ａを突き合わせて嵌め合わされることにより１つの箱体となり、内部空間に基板３を内包する。後部ケース１と前部ケース２とが嵌合したとき、前部ケース２の開口部２ａと反対側に設けられた矩形穴２ｄからコネクタ３ａが露呈する。なお、本実施の形態の電子機器ユニットの筐体５０は、後部ケース１と前部ケース２の２つのケースに分割されているが、さらに分割されて２つ以上多数に分割されるものであってもよい。
【００１７】
後部ケース１と前部ケース２が突き合う突き合わせ開口縁Ａ（ケースの合わせ面）の内側に、２枚の絶縁板５，５が設けられている（図２）。２枚の絶縁板５，５は、後部ケース１の開口部１ａの２つの長辺のほぼ全縁から、前部ケース２側に向かって突き合わせ方向（Ｘマイナス方向）に延びるようにして設けられ、基板３と平行になるようにＸＺ平面に沿って広がっている。すなわち、絶縁板５，５は、後部ケース１の開口部１ａの基板３の第１面（部品実装面）に対向するほぼ全縁と第１面の裏側の第２面に対向するほぼ全縁とからそれぞれ第２のケース側に延びるように一対が設けられている。そして、後部ケース１と前部ケース２が連結する際、絶縁板５，５はそれぞれ前部ケース２の内壁に密着することで嵌り合う。そして、絶縁板５は、突き合わせ開口縁Ａを内部空間に対して覆い隠す。つまり、後部ケース１と前部ケース２とは、後部ケース１の開口部１ａから突出する絶縁板５により印ろう嵌合する。
【００１８】
２枚の絶縁板５，５のそれぞれ外側の主面（前部ケース２の内壁に接触する面）に、係合凸部１ｂ，１ｂが形成されている（図２）。一方、前部ケース２の内壁には、この係合凸部１ｂ，１ｂに対応する位置に、外面まで貫通して係合穴２ｂ，２ｂが形成されている。係合凸部１ｂ，１ｂと係合穴２ｂ，２ｂとは、互いに係合することで、嵌合した後部ケース１と前部ケース２とが離間することを規制する。係合凸部１ｂ，１ｂは、後部ケース１と前部ケース２とを嵌め合わせる際、突き合わせ方向（Ｘマイナス方向）にスライドしたときに、係合穴２ｂ，２ｂと良好に係合可能なように、突き合わせ方向側が斜面となっている（図６）。
【００１９】
また、後部ケース１の突き合わせ開口縁Ａ近傍の係合凸部１ｂ，１ｂに近い外面に専用治具を挿入するための治具差込勾配部１ｆが設けられている。この治具差込勾配部１ｆは、後部ケース１と前部ケース２との嵌合を解除する専用治具を挿入するための底部が勾配とされた凹部であり、後部ケース１と前部ケース２とを離間させる際、この専用治具で後部ケース１の壁面を内側に押して、係合凸部１ｂ，１ｂを係合穴２ｂ，２ｂから外す。
【００２０】
また、絶縁板５は、図９に示すように、後部ケース１と前部ケース２の突き合わせ開口縁Ａおよび係合穴２ｂ，２ｂから縁までの距離が所定の沿面距離となるように、突き合わせ開口縁Ａおよび係合穴２ｂ，２ｂから所定の幅Ｄを有して広がっている。つまり、絶縁板５は、突き合わせ開口縁Ａおよび係合穴２ｂ，２ｂから沿面距離を追従した形状となるように広がっている。具体的には、絶縁板５は、中間部において、突き合わせ開口縁Ａから縁までの距離が所定の幅Ｄとなるように広がるとともに、Ｚ方向両端部において係合凸部１ｂ，１ｂが形成され、この係合凸部１ｂ，１ｂに対向する前部ケース２の壁面に係合穴２ｂ，２ｂが開口しているので、絶縁板５は、縁がこの係合穴２ｂ，２ｂからも所定の幅Ｄを有するようにして広がった形状となっている。すなわち、絶縁板５は、係合穴２ｂ，２ｂから縁までの距離が所定の沿面距離となるようにＺ方向両端部が中間部より突き合わせ方向（Ｘマイナス方向）に大きく突出している。仮に、絶縁板５の中央部にも係合凸部を設けて、これに対向する前部ケース２の壁面に係合穴が開口しているとすると、絶縁板５の中央部は両端部と同じように突き合わせ方向に大きく突出すこととなる。
【００２１】
なお、本実施の形態においては、絶縁板５，５は、前部ケース２の開口部２ａに入り込み前部ケース２の内壁に重なるが、絶縁板５，５は、前部ケース２の開口部２ａを覆うように設けられて、前部ケース２の外壁に重なるように設けられてもよい。この場合には、係合凸部１ｂ，１ｂは、それぞれ内側の主面（前部ケース２の内壁に接触する面）に形成される。この場合においても、絶縁板が突き合わせ開口縁および係合穴から縁までの距離が所定の沿面距離となるように、突き合わせ開口縁および係合穴から所定の幅を有して広がることで、概略同様の効果を得ることができる。
【００２２】
前部ケース２の内壁に、絶縁板５と同形状のへこみとして嵌合凹部２ｃが形成されている（図５）。この嵌合凹部２ｃは、絶縁板５の厚さと同じ深さを有し絶縁板５と重なって絶縁板５を埋め込むように収納し、筐体５０内面の段差を無くす（図６）。嵌合凹部２ｃの形成された前部ケース２の内壁と絶縁板５とは、電子機器ユニットの筐体として必要最小の薄さで構成され、互いに重なり合ったときに、基本板厚を確保できるようになっている。この基本板厚は、従来の壁面板厚と同じであり、基本板厚を変えないことで従来仕様の基本外形、内部空間容積の確保及び、基板の部品実装可能面積の制約を増やさないことが可能である。また、ケースが薄肉なことから、絶縁板５には成形時に回り込みやすいよう、突き合わせ方向の先端の角は、断面円弧形状に丸められている。
【００２３】
また、図５、図７および図８に示すように、前部ケース２の開口部２ａの長辺の中央部に嵌合凹部２ｃに所定の間隔を開けて対向するようにして案内リブ７が設けられている。この案内リブ７は、前部ケース２の内壁から前部ケース２の開口部２ａに向かって延び、その先端は開口部２ａから突出している。そして、この案内リブ７は、後部ケース１と前部ケース２とが印ろう嵌合する際、絶縁板５を導くとともに、嵌合凹部２ｃと協同して絶縁板５を挟み込んで挟持し、絶縁板５が内側に変位することを抑制する。
【００２４】
この案内リブ７は、絶縁板５を挿入し易いように先端に面取り又はＲ面取りが設けられている。また、樹脂成形する際にヒケが生じやすいので、対応する前部ケース２の外面に凹み部２ｅを設けている（図３）。
【００２５】
以上のように、本実施の形態の電子機器ユニットの筐体５０においては、絶縁板５は、後部ケース１と前部ケース２の突き合わせ開口縁Ａおよび係合穴２ｂから縁までの距離が所定の沿面距離となるように、突き合わせ開口縁Ａおよび係合穴２ｂから所定の幅を有して広がっているので、外部空間から内部空間に至る沿面距離が所定の距離となり、所要の静電気絶縁性が確保され、従来のような絶縁シートを設ける必要が無くなる。突き合わせ開口縁Ａ（ケースの合わせ面）の隙間の直下の基板上を電子部品の配置禁止領域にせずとも、突き合わせ開口縁Ａの隙間から、静電気放電の侵入経路となりやすい内部基板までの沿面距離が長くなるので、静電気絶縁性が向上する。
【００２６】
また、絶縁シートを有する従来の筐体では、絶縁シートの厚みによって、突き合わせ開口縁Ａの隙間の直下にある基板の部品高さを制限する必要があったり、筐体の組立性が悪いといった問題があったが、絶縁シートを不要にしたことで基板部品の高さ制限を無くし、さらに筐体の組立性を改善することができる。また絶縁シートを使わないことでユニットのコストダウンが可能となり、リサイクル分別性も向上することができる。
【００２７】
さらに、基板３は、主面が後部ケース１と前部ケース２の突き合わせ開口縁Ａに対向するように配置され、突き合わせ開口縁Ａに隙間が形成されたとしても、絶縁板５は、この隙間を覆い隠し、隙間が無いようにするので静電気放電の抑制が可能となる。
【００２８】
さらに、前部ケース２の内壁に案内リブ７を設けたことで、後部ケース１と嵌め合わせる際に、案内リブ７が絶縁板５を適切に導き、組み立て作業が容易である。また、その案内リブ７は、絶縁板５および後部ケース１の壁面が内側へ凹まないように補強する効果を持ち、電子機器ユニットの筐体全体の強度を向上させることができる。
【００２９】
また、後部ケース１の突き合わせ開口縁Ａ近傍の係合凸部１ｂ，１ｂに近い外面に専用治具を挿入するための治具差込勾配部１ｆが設けられており、ユニットを分解し難い構造となっている。
【産業上の利用可能性】
【００３０】
以上のように、本発明にかかる電子機器ユニットの筐体は、分割された２つのケースを有し、電子機器を搭載する基板を内包する電子機器ユニットの筐体に適用されて好適なものである。
【符号の説明】
【００３１】
１  後部ケース（第１のケース）
１ａ  開口部
１ｂ  係合凸部
１ｆ  治具差込勾配部
２  前部ケース（第２のケース）
２ａ  開口部
２ｂ  係合穴
２ｄ  矩形穴
２ｃ  嵌合凹部
２ｅ  凹み部
３  基板
３ａ  コネクタ
５  絶縁板
７  案内リブ
５０  電子機器ユニットの筐体
【図１】
0005583217.tif 000002
【図２】
0005583217.tif 000003
【図３】
0005583217.tif 000004
【図４】
0005583217.tif 000005
【図５】
0005583217.tif 000006
【図６】
0005583217.tif 000007
【図７】
0005583217.tif 000008
【図８】
0005583217.tif 000009
【図９】
0005583217.tif 000010